(57)【要約】  【課題】収納食品の種類に応じて適切な貯蔵環境を提供し、各貯蔵室の使い勝手を同時に改善、そして、容積効率を高めた冷蔵庫を提供する。  【解決手段】冷蔵庫の上下方向の全高に亘って左右に区分され、区分された左右区画の少なくとも一方を上下に３つ以上の引き出し扉にて構成し、高さ方向の中央付近で独立した製氷室２６を配置し、上方に冷蔵スライド室２７、下方に冷凍スライド室２８を配置し、冷蔵スライド室２７の側方に冷蔵室２９、その下方に野菜室３０および冷凍室３１を配置し、冷却器は冷凍スライド室２８と冷凍室３１の背面に配置したものであり、使い勝手が向上する。また、１つの冷却器で全体を冷却し、その冷却器と送風機は冷凍室内に収納することにより、複雑なシール構造が不要となり、また冷蔵室に冷却器を設置する必要がないので奥行きを深くすることが可能になり、庫内の容積効率も向上する。【選択図】図２
2006250465.tif 000002
【特許請求の範囲】
【請求項１】
冷蔵庫の前面開口部を塞ぐ扉が、前記冷蔵庫の上下方向の全高に亘って左右に区分され、区分された左右区画の少なくとも一方を上下に３つ以上の引き出し扉にて構成し、高さ方向の中央付近で独立した製氷室を配置し、製氷室の上方の引き出し区画を冷蔵温度帯の貯蔵室、下方引き出し区画には冷凍温度帯の貯蔵室を有し、前記冷蔵温度帯の貯蔵室の側方に隣接する区画に回転扉を有する第二の冷蔵温度帯の貯蔵室を配置し、前記第二の冷蔵温度帯の貯蔵室の下方には野菜室を配置し、前記野菜室の下方には第二の冷凍温度帯の貯蔵室を配置し、冷却器は前記冷凍温度帯の貯蔵室と第二の冷凍温度帯の貯蔵室の背面に配置したことを特徴とする冷蔵庫。
【請求項２】
冷蔵温度帯の貯蔵室は、製氷室の戻り冷気を空気調整手段で調整することにより冷却することを特徴とする請求項１に記載の冷蔵庫。
【請求項３】
前記製氷室は冷却器で熱交換された冷気を空気調整手段で調整した冷気で冷却することを特徴とする請求項１または２に記載の冷蔵庫。
【請求項４】
第二の冷蔵温度帯の貯蔵室は、製氷室の戻り冷気の一部で冷却し、戻り風路は第一の冷蔵温度帯の貯蔵室の戻り冷気と合流させることを特徴とする請求項１から３のいずれか一項に記載の冷蔵庫。
【請求項５】
第一の冷蔵温度帯の貯蔵室の冷却風路内に送風手段を設けたことを特徴とする請求項１から４のいずれか一項に記載の冷蔵庫。
【発明の詳細な説明】
【技術分野】
【０００１】
本発明は、使い勝手を高めた冷蔵庫に関するものである。
【背景技術】
【０００２】
従来、左右に分割された貯蔵室を区画している冷蔵庫において、特許文献１に参照するように、片側が上下引出し扉で構成されているものが提案されている。
【０００３】
図６、図７は特許文献１に記載された従来の冷蔵庫を示すものである。図６は従来の冷蔵庫の正面図、図７は従来の冷蔵庫の扉を開けた状態の斜視図である。
【０００４】
図６、図７に示すように２は冷蔵庫本体１内を上下に区画する断熱区画壁であり、上部に上部区画３、下部に下部区画４を形成している。５は上部区画３内を左右に区画する第１の区画壁であり、６は下部区画４内を左右に区画する第２の区画壁である。７は第１の区画壁５により一側に形成された冷蔵室、８は冷蔵室７の下部に区画壁９を挟んで形成された野菜室である。１０は第１の区画壁５により他側に形成されたボトル収納室である。１１は第２の区画壁６により一側に形成された冷凍室、１２は他側に形成された製氷室である。
【０００５】
冷蔵室７の開口面には開閉自在に取り付けられたヒンジ開閉式扉１３が設けられている。野菜室８は開口面に開閉自在に取り付けられた引出し式扉１４を設けており、室内側の収納容器（図示せず）を一体に引き出せるように構成されている。
【０００６】
ボトル収納室１０は開口面に開閉自在に取り付けられた引出し式扉１６を設けており、室内側の収納容器１７、１８、１９、２０を一体に引き出せるように構成されている。また、冷凍室１１は開口面に開閉自在に取り付けられた引出し式扉２１を設けており、室内側の収納容器（図示せず）を一体に引き出せるよう構成されている。製氷室１２は開口面に開閉自在に取り付けられた引出し式扉２２を設けており、室内側の収納容器（図示せず）を一体に引き出せるように構成されている。
【特許文献１】特開２００１−２６３９１３号公報
【発明の開示】
【発明が解決しようとする課題】
【０００７】
しかしながら、上記従来の構成では、上方に位置するボトル収納を目的にしたボトル収納室の上下方向の高さに占める割合が大きく、下方に位置する製氷室の位置が低くなるため、製氷室から生成した氷を取り出す際に、腰をかがめたり、しゃがんだりする必要があるという課題を有していた。また冷蔵室にも冷却器と送風機を設置している為、冷蔵室の奥行きが少なくなるという課題も有していた。
【０００８】
本発明は、上記従来の課題を解決するもので、収納食品の種類に応じて適切な貯蔵環境を提供し、各貯蔵室の使い勝手を同時に改善、そして、容積効率を高めた冷蔵庫を提供することを目的とする。
【課題を解決するための手段】
【０００９】
上記従来の課題を解決するために、本発明の冷蔵庫は、冷蔵庫の前面開口部を塞ぐ扉が、前記冷蔵庫の上下方向の全高に亘って左右に区分され、区分された左右区画の少なくとも一方を上下に３つ以上の引き出し扉にて構成し、高さ方向の中央付近で独立した製氷室を配置し、製氷室の上方の引き出し区画を冷蔵温度帯の貯蔵室、下方引き出し区画には冷凍温度帯の貯蔵室を有し、前記冷蔵温度帯の貯蔵室の側方に隣接する区画に回転扉を有する第二の冷蔵温度帯の貯蔵室を配置し、前記第二の冷蔵温度帯の貯蔵室の下方には野菜室を配置し、前記野菜室の下方には第二の冷凍温度帯の貯蔵室を配置し、冷却器は前記冷凍温度帯の貯蔵室と第二の冷凍温度帯の貯蔵室の背面に配置したものである。
【００１０】
これによって、使いやすい引出し扉を冷蔵庫本体の片側サイドに構成し、上方に目線に位置する引出し扉と、独立した製氷室を氷が取り出しやすい位置に配置することが可能となる。また１つの冷却器で全体を冷却し、その冷却器と送風機は冷凍室内に収納することにより、複雑なシール構造が不要となり、また冷蔵室に冷却器を設置する必要がないので奥行きを深くすることが可能になる。
【発明の効果】
【００１１】
本発明の冷蔵庫は、冷蔵庫本体の片側サイドを全て引出し扉で構成することで、冷蔵温度帯の引出しはもちろんのこと冷凍温度帯の引出しにも比較的背の高いペットボトル、ビン類を収納しやすくし、また奥に収納している収納物をも手前に簡単に引き出すことができるため、収納物が取り出しやすい構造にすることができる。また、１つの冷却器で冷蔵庫全体を冷却し、その冷却器を冷凍室内に収納することで、冷凍室風路カバーが簡素化でき、庫内の容積効率も向上する。
【発明を実施するための最良の形態】
【００１２】
請求項１に記載の発明は、冷蔵庫の前面開口部を塞ぐ扉が、前記冷蔵庫の上下方向の全高に亘って左右に区分され、区分された左右区画の少なくとも一方を上下に３つ以上の引き出し扉にて構成し、高さ方向の中央付近で独立した製氷室を配置し、製氷室の上方の引き出し区画を冷蔵温度帯の貯蔵室、下方引き出し区画には冷凍温度帯の貯蔵室を有し、前記冷蔵温度帯の貯蔵室の側方に隣接する区画に回転扉を有する第二の冷蔵温度帯の貯蔵室を配置し、前記第二の冷蔵温度帯の貯蔵室の下方には野菜室を配置し、前記野菜室の下方には第二の冷凍温度帯の貯蔵室を配置し、冷却器は前記冷凍温度帯の貯蔵室と第二の冷凍温度帯の貯蔵室の背面に配置したものであり、使いやすい引出し扉を冷蔵庫本体の片側サイドに構成し、上方に目線に位置する引出し扉と、独立した製氷室を氷が取り出しやすい位置に配置することが可能となり、使い勝手が向上する。また、１つの冷却器で全体を冷却し、その冷却器と送風機は冷凍室内に収納することにより、複雑なシール構造が不要となり、また冷蔵室に冷却器を設置する必要がないので奥行きを深くすることが可能になり、庫内の容積効率も向上する。
【００１３】
請求項２に記載の発明は、請求項１に記載の発明において、冷蔵温度帯の貯蔵室は、製氷室の戻り冷気を空気調整手段で調整することにより冷却するものであり、冷蔵室への吐出冷気温度を高くすることができ吐出口前の食品の凍結を防ぐことができる。
【００１４】
請求項３に記載の発明は、請求項１または２に記載の発明において、前記製氷室は冷却器で熱交換された冷気を空気調整手段で調整した冷気で冷却するものであり、負荷に応じて冷凍室と冷蔵室の風量配分を調整することができる。
【００１５】
請求項４に記載の発明は、請求項１から３のいずれか一項に記載の発明において、第二の冷蔵温度帯の貯蔵室は、製氷室の戻り冷気の一部で冷却し、戻り風路は第一の冷蔵温度帯の貯蔵室の戻り冷気と合流させるものであり、冷却効率を向上させることができ、更に野菜室の左部、下部に冷凍室を配置しているため、熱伝導による冷却効果が生じ野菜室を直接循環する冷気を少なくすることができ、野菜室の湿度低下を防止することができる。
【００１６】
請求項５に記載の発明は、請求項１から４のいずれか一項に記載の発明において、第一の冷蔵温度帯の貯蔵室の冷却風路内に送風手段を設けたものであり、ドア開閉が頻繁に行われて冷却器に霜着きが発生し風量が低下することにより冷蔵室への冷気量が減少するときに送風手段によって冷気量を回復することができる。
【００１７】
以下、本発明の実施の形態について、図面を参照しながら説明する。なお、この実施の形態によってこの発明が限定されるものではない。
【００１８】
（実施の形態１）
図１は本発明の実施の形態１における冷蔵庫の正面図である。図２は本発明の実施の形態１における冷蔵庫の風路を示す正面図である。図３は本発明の実施の形態１における冷蔵庫の断面図である。
【００１９】
図１に示すように、２２は冷蔵庫本体であり、冷蔵庫本体２２は、上下方向の全高で左右に区分された左区画２４と、右区画２５に区画されている。左区画２４は中央付近に製氷室２６が配置され、製氷室２６の上方には引出し扉で構成された冷蔵スライド室２７を、製氷室２６の下方には引出し扉で構成された冷凍スライド室２８が配置されている。
【００２０】
一方、右区画２５には、上から冷蔵室２９、野菜室３０、冷凍室３１が配置されていて、それぞれの部屋の前面開口は扉により塞がれている。なお、冷蔵スライド室２７と冷蔵室２９は上下方向の同一線上で区画されているが、冷蔵スライド室２７の高さと、冷蔵室２９の高さが違う、すなわち段差がつくよう構成されていても構わない。
【００２１】
図２、３において、３２は第１の仕切り壁であり、冷蔵スライド室２７及び冷蔵室２９と製氷室２６及び野菜室３０を仕切っている。３３は第２の仕切り壁であり、製氷室２６と冷凍スライド室２８を仕切っている。３４は第３の仕切り壁であり、野菜室３０と冷凍室３１を仕切っている。３５は冷却器であり冷凍室３１と冷凍スライド室２８の背面に設置される。３６は製氷室冷却用風路であり、製氷室吐出口３７の手前には、製氷室冷気調整手段３８がある、冷却器３５によって冷却された冷気を製氷室２６に導くための製氷室用吐出口３７から製氷室２６を冷却した冷気を冷蔵室２９と冷蔵スライド室２７に導くための冷蔵室吐出風路３９を有しており、冷蔵室吐出風路３９中には冷蔵室冷気調整手段４０がある。４１は冷却ファンであり冷却器３５と熱交換した冷気を冷蔵庫全体に循環させる。４２は製氷室戻り風路であり、前記風路中には、野菜室吐出口４３がある。４４は冷蔵室戻り風路であり、前記風路中には野菜室戻り口４５がある。
【００２２】
以上のように構成された冷蔵庫について、以下その動作、作用について説明する。冷却器３５によって熱交換された冷気を直接循環させることによって冷凍室３１を冷却し、戻り口４６から冷却器３５に戻る。一方、製氷室２６は冷却ファン４１から吐出した冷気を製氷室冷気調整手３８を介して冷却される。製氷室２６を冷却した冷気は冷蔵室吐出風路３９を通り、冷蔵室冷気調整手段４０を介して冷蔵室２９及び冷蔵スライド室２７を冷却する。冷蔵室２９及び冷蔵スライド室２７を冷却した冷気は冷蔵室戻り風路４８を通って冷却器３５に戻る。冷蔵室吐出風路３９は途中で冷蔵室吐出風路３９と製氷室戻り風路４２に分岐され、製氷室戻り風路４２は冷却器３５につながっている。製氷室戻り風路４２中には、野菜室吐出口４３があり、製氷室戻り冷気の一部を野菜室３０に吐出する。野菜室の野菜室戻り口４５は冷蔵室戻り風路４４中にあり、冷蔵室冷気調整手段４０が閉しているときに冷気を吸い込むようにしている。夏場、冷蔵スライド室２７及び冷蔵室２９のドア開閉が増え、冷蔵スライド室２７及び冷蔵室２９に暖湿気が流入しても製氷室２６に冷却器３５で熱交換した冷気を最初に吐出するようにしているので製氷室２６の能力を確保することができる。さらに野菜室３０は、冷蔵室２９及び製氷室２６及び冷凍スライド室２８及び冷凍室３１からの熱伝達により、間接的に野菜室３０内を冷却するため、冷気を導入する量を少なくすることで野菜室３０内を高湿度に保つことができ、野菜室３０内に貯蔵する野菜等の食品の保鮮性を向上させることができる。
【００２３】
（実施の形態２）
図１は本発明の実施の形態２における冷蔵庫の正面図である。図４は本発明の実施の形態２における冷蔵庫の風路を示す正面図である。図１の説明は実施の形態１と同様であるため省略する。
【００２４】
図２、３において、３２は第１の仕切り壁であり、冷蔵スライド室２７及び冷蔵室２９と製氷室２６及び野菜室３０を仕切っている。３３は第２の仕切り壁であり、製氷室２６と冷凍スライド室２８を仕切っている。３４は第３の仕切り壁であり、野菜室３０と冷凍室３１を仕切っている。３５は冷却器であり冷凍室３１と冷凍スライド室２８の背面に設置される。３６は製氷室冷却用風路であり、製氷室吐出口３７の手前には、製氷室冷気調整手段３８がある、冷却器３５によって冷却された冷気を製氷室２６に導くための製氷室用吐出口３７から製氷室２６を冷却した冷気を冷蔵室２９と冷蔵スライド室２７に導くための冷蔵室吐出風路３９を有しており、冷蔵室吐出風路３９中には冷蔵室冷気調整手段４０と第２の冷却ファン５２がある。４１は冷却ファンであり冷却器３５と熱交換した冷気を冷蔵庫全体に循環させる。４２は製氷室戻り風路であり、前記風路中には、野菜室吐出口４３がある。４４は冷蔵室戻り風路であり、前記風路中には野菜室戻り口４５がある。
【００２５】
以上のように構成された冷蔵庫について、以下その動作、作用について説明する。冷却器３５によって熱交換された冷気を直接循環させることによって冷凍室３１を冷却し、戻り口４６から冷却器３５に戻る。一方、製氷室２６は冷却ファン４１から吐出した冷気を製氷室冷気調整手３８を介して冷却される。製氷室２６を冷却した冷気は冷蔵室吐出風路３９を通り、冷蔵室冷気調整手段４０を介して第二の冷却ファン４７で風速をまして、冷蔵室２９及び冷蔵スライド室２７を冷却する。冷蔵室２９及び冷蔵スライド室２７を冷却した冷気は冷蔵室戻り風路４４を通って冷却器３５に戻る。冷蔵室吐出風路３９は途中で冷蔵室吐出風路３９と製氷室戻り風路４２に分岐され、製氷室戻り風路４２は冷却器３５につながっている。製氷室戻り風路４２中には、野菜室吐出口４３があり、製氷室戻り冷気の一部を野菜室３０に吐出する。野菜室の野菜室戻り口４５は冷蔵室戻り風路４４中にあり、冷蔵室冷気調整手段４０が閉しているときに冷気を吸い込むようにしている。夏場、冷蔵スライド室２７及び冷蔵室２９のドア開閉が増え、冷蔵スライド室２７及び冷蔵室２９に暖湿気が流入しても製氷室２６に冷却器３５で熱交換した冷気を最初に吐出するようにしているので製氷室２６の能力を確保することができる。さらに野菜室３０は、冷蔵室２９及び製氷室２６及び冷凍スライド室２８及び冷凍室３１からの熱伝達により、間接的に野菜室３０内を冷却するため、冷気を導入する量を少なくすることで野菜室３０内を高湿度に保つことができ、野菜室３０内に貯蔵する野菜等の食品の保鮮性を向上させることができる。また、冷蔵室吐出風路内に設置した第二の冷却ファン４７は、冷蔵室の負荷が大きくなった場合や、冷却器が霜付きで目詰まりして、風量が低下した際の風量回復手段として用いることにより安定して冷蔵室及び冷蔵スライド室を冷却できる。
【産業上の利用可能性】
【００２６】
以上のように、本発明にかかる冷蔵庫は、１つの冷却器で冷蔵庫全体を冷却することにより、野菜室内は冷蔵室及び製氷室及び冷凍スライド室及び冷凍室からの熱伝達と製氷室戻り冷気の一部で冷却することにより、冷却器で熱交換された冷気を製氷室と冷凍室に最初に徒手とすることにより、夏場負荷が増えた場合でも製氷室の能力を確保することができ、さらに野菜室内を高湿度に保つことができ、野菜室内に貯蔵する野菜等の食品の保鮮性を向上させることが可能となるので、冷凍機器全般の冷却方法の用途にも適用できる。
【図面の簡単な説明】
【００２７】
【図１】本発明の実施の形態１における冷蔵庫の正面図
【図２】本発明の実施の形態１における冷蔵庫の風路を示す正面図
【図３】本発明の実施の形態１における冷蔵庫の断面図
【図４】本発明の実施の形態２における冷蔵庫の風路を示す正面図
【図５】従来の冷蔵庫の正面図
【図６】従来の冷蔵庫の扉を開けた状態の斜視図
【符号の説明】
【００２８】
２３  冷蔵庫本体
２６  製氷室
２７  冷蔵スライド室
２８  冷凍スライド室
２９  冷蔵室
３０  野菜室
３１  冷凍室
３５  冷却器
３８  製氷室冷気調整手段
４０  冷蔵室冷気調整手段
４７  第二の冷却ファン
【図１】
2006250465.tif 000003
【図２】
2006250465.tif 000004
【図３】
2006250465.tif 000005
【図４】
2006250465.tif 000006
【図５】
2006250465.tif 000007
【図６】
2006250465.tif 000008